(57)【要約】【課題】容器のキャップを外すことなく、ワンタッチ操作でを容器内の液体を流出させる。【解決手段】キャップ本体の上端部にガイド面が、下端部にはオーリングがそれぞれ設けられている。キャップはキャップ本体の頂部に枢結され、この頂部の１点を支点にして梃子運動を行う押しボタンユニットを備える。押しボタンユニットの一端部がキャップ本体から外へ突出し、他端部がキャップ本体のガイド面に対応する。本体内のプランジャの下部は本体と同一の形状を有する栓であり、その外縁がオーリングに対応し、上部は押しボタンユニットに連結される。プランジャと押しボタンユニットとの連結点が支点から押しボタンに近いところに位置する。プランジャの連結コラムの外周においてスプリングの下端が本体に固定され、連結コラムの上に固定したプランジャクランプにスプリングの上端部が当接している。【選択図】    図１
0003126885.tif 000002
【実用新案登録請求の範囲】
【請求項１】
キャップ本体を備えるキャップにおいて、
キャップ本体上端部の一方側にはガイド傾斜面が設けられ、キャップ本体の下端部にはオーリングを有し、
キャップ本体のトップ端部に枢結され、キャップ本体のトップ端部のいずれかの１点を支点として梃子運動を行う押しボタンユニットをさらに備え、当該押しボタンユニットはその一端部がキャップ本体から外へ突き出される押しボタンであり、その他端部がキャップ本体の上端部に設けられたガイド傾斜面に対応するワンタッチキャップであり、
キャップ本体内にはプランジャーが設けられ、プランジャーの下部はキャップ本体と同一の形状を有する栓であり、その外縁がオーリングに対応しており、プランジャーの上部は押しボタンユニットに連結される円柱形連結部材であり、その押しボタンユニットとの連結点が支点から押しボタンの一方側に近いところに位置しており、
プランジャーの連結コラムの外周を被せるスプリングが設けられ、スプリングの下端がキャップ本体に対して固定され、連結コラムの上にプランジャークランプが固定され、スプリングの上端部が当該プランジャークランプに当接していることを特徴とするキャップ。
【請求項２】
下へ向けて押しボタンを押すと、プランジャーが下へ向けて運動し、その下部に設けられた栓がオーリングから離間すると同時に、プランジャークランプがスプリングを押圧し、押しボタンから手の指を離れると、スプリングが元の位置まで跳ね返られると共に、栓をオーリングに密着させるようプランジャークランプとプランジャーを上へ押し上げることを特徴とする請求項１に記載のキャップ。
【請求項３】
前記プランジャークランプはキャップ状であり、スプリングの上端部をその内部に収容させていることを特徴とする請求項２に記載のキャップ。
【考案の詳細な説明】
【技術分野】
【０００１】
本考案は液体容器に用いられるキャップに関するものである。
【背景技術】
【０００２】
キャップはすべての容器にも利用される部品として、主に容器内から液体を流出させることを防ぐ役割を果たしている。それに関連する密封技術のレベルは現在、かなり向上されている。また、技術の進歩に伴い、人々からはキャップに対しより高いレベルを求められている。即ち、キャップを取り外さずに液体を流出させることが求められている。例えば、近年、農夫山泉（登録商標）などの飲用水ボトルに応用されたＰＯＰボトルの口部において、別段でキャップの上に流路を設け、キャップを段階別方式にて押し抜いて流路を形成させるというものが挙げられるが、これは、手の指で操作する必要があるため、衛生上に問題が生じるおそれがある。また、このような構造では、液体の流速がかなり遅いため、容量の大きい水筒などの容器に利用しにくい。
【考案の開示】
【考案が解決しようとする課題】
【０００３】
本考案の目的は、液体容器に用いられるキャップを取り外すことなく、ワンタッチの操作により液体を容器から簡単に流出させ得るキャップを提供することにある。
【課題を解決するための手段】
【０００４】
従って、キャップ本体を備え、キャップ本体の上端部の一方側にはガイド傾斜面が設けられ、キャップ本体の下端部にはオーリングが設けられている。また、当該キャップはキャップ本体のトップ端部に枢結され、キャップ本体のトップ端部のいずれかの１点を支点として梃子運動を行う押しボタンユニットを備え、当該押しボタンユニットはその一端部がキャップ本体から外へ突き出される押しボタンであり、その他端部がキャップ本体の上端部に設けられたガイド傾斜面に対応するワンタッチキャップである。キャップ本体内にはプランジャーが設けられ、プランジャーの下部はキャップ本体と同一の形状を有する栓であり、その外縁がオーリングに対応しており、プランジャーの上部は押しボタンユニットに連結される円柱形連結部材であり、その押しボタンユニットとの連結点が支点から押しボタンの一方側に近いところに位置している。プランジャーの連結コラムの外周を被せるスプリングが設けられ、スプリングの下端がキャップ本体に対して固定され、連結コラムの上にプランジャークランプが固定され、スプリングの上端部が当該プランジャークランプに当接している。
【０００５】
また、より高いレベルを実現した技術案としては、本考案によれば、下へ向けて押しボタンを押すと、プランジャーが下へ向けて運動し、その下部に設けられた栓がオーリングから離間すると同時に、プランジャークランプがスプリングを押圧し、押しボタンから手の指を離れると、スプリングが元の位置まで跳ね返られると共に、栓をオーリングに密着させるようプランジャークランプとプランジャーを上へ押し上げる。
【０００６】
上記のプランジャークランプはキャップ状であり、スプリングの上端部をその内部に収容させている。
また、本考案によれば、指一本で操作すると、プランジャーとワンタッチキャップとの位置を共に制御し、両方の状態を切り替えることができる。押しボタンを押すと、プランジャーの栓がオーリングから離間し、そのとき、ワンタッチキャップもキャップ本体上端部のガイド傾斜面から離間し、プランジャーとオーリングとの間の隙間を介して容器内の液体がガイド傾斜面から流出できる。一方、押しボタンから手の指を離れると、栓をオーリ
ングに密着させるようスプリングがプランジャーを上へ押し上げ、スプリングの弾力で両者をしっかり押し固めることができるため、液体の流出を防ぐことができる。また、押しボタンユニットにおいて、押しボタンとプランジャーは支点の同一側に位置し、しかも押しボタンは遠い端部に位置するため、これによって押しボタン部に生じられたトルクは、プランジャーと押しボタンの連結部におけるトルクより大きいため、操作者は、ほどよい力で「力の強い」スプリングを制御でき、良好な密封効果を達成することができる。以上の分析によれば、本考案は利用上の便宜性を図り、良好な効果を実現できることが分かる。
【考案を実施するための最良の形態】
【０００７】
以下、図面を参照して、本考案の実施例を説明する。本実施例のキャップはキャップ本体１を備え、キャップ本体の上端部の一方側にガイド傾斜面２を設け、キャップ本体１の下端部にオーリング１１を設けている。また、本実施例のキャップはキャップ本体のトップ端部に枢結され、キャップ本体のトップ端部のＡ点を支点として梃子運動を行う押しボタンユニット５を備える。押しボタンユニット５はその一端部がキャップ本体１から外へ突き出される押しボタン６であり、その他端部がキャップ本体の上端部に設けられたガイド傾斜面２に対応するワンタッチキャップ３である。キャップ本体内にはプランジャーが設けられ、プランジャーの下部はキャップ本体と同一の形状を有する栓１０であり、その外縁がオーリング１１に対応しており、プランジャーの上部は4カ所で押しボタンユニッ
トに連結される連結コラムであり、且つ小さな角度で回転できる。連結点４と押しボタン６はともに支点Aの左側に位置し、且つ連結点４からＡ点までの距離は押しボタン６から
Ａ点までの距離より短くなっている。プランジャーの連結コラム９にはキャップ状のプランジャークランプ７が固定されており、スプリング８は連結コラム９の外周を覆うように設けられており、スプリングの下端がキャップ本体に対して固定され、スプリングの上端部がプランジャークランプ７の中に収容されている。
【０００８】
本考案の実施例によれば、閉鎖状態になると、スプリング８が跳ね返ると共に、プランジャークランプ７の力によって、栓１０をオーリング１１に密着させるように、連結コラム９と栓１０を上へ押し上げ、その同時にワンタッチキャップ３はキャップ本体の上端部のガイド傾斜面２を覆い、容器内から液体が流出できなくなる。一方、押しボタン６を押すと、連結コラム９と栓１０は共に下へ向けて運動しながら、スプリング８を圧縮することで、栓１０とオーリング１１との間に隙間が形成するとともに、ワンタッチキャップ３もキャップ本体上端部のガイド傾斜面２から離間するため、液体が栓１０とオーリング１１との間の隙間を介して、ガイド傾斜面２から流出する。
【図面の簡単な説明】
【０００９】
【図１】本考案のキャップの開放状態を示す構造概要図である。
【図２】本考案のキャップの閉鎖状態を示す構造概要図である。
【符号の説明】
【００１０】
１・・・キャップ本体、２・・・ガイド傾斜面、３・・・ワンタッチキャップ、４・・・プランジャーと押しボタンユニットとの連結点、５・・・押しボタンユニット、６・・・押しボタン、７・・・プランジャークランプ、８・・・スプリング、９・・・プランジャーの連結コラム、１０・・・プランジャーの栓、１１・・・オーリング。
【図１】
0003126885.tif 000003
【図２】
0003126885.tif 000004
【手続補正書】
【提出日】平成18年9月4日(2006.9.4)
【手続補正１】
【補正対象書類名】図面
【補正対象項目名】図２
【補正方法】変更
【補正の内容】
【図２】
0003126885.tif 000005